(57)【要約】【課題】  光偏向部材を備えるＬＧＰ及び側面発光型バックライト装置を提供する。【解決手段】  ＬＧＰの出光面とこれと向き合う面ののうち少なくとも１つの面に設けられる光偏向部材を含み、この光偏向部材は入光面に垂直な法線を中心に互いに向き合い、入光面からこれと向き合う対向面側に行く程互いに末広がりとなるように位置され、出光面に垂直な第１及び第２面を備える。これにより、所望の出光分布を得るため多様な角度を有した光偏向部材を配列できる。【選択図】      図３
2004319482.tif 000002
【特許請求の範囲】
【請求項１】
光が入射する入光面と、光を射出する出光面とを備える導光板と、
前記入光面に光を投射する線光源と、
透光材料で製作される多面体であり、前記出光面に垂直であり、前記入光面に垂直な法線を中心に互いに向き合い、前記入光面からこれと向き合う対向面側に行く程互いに末広がりとなるように位置される第１及び第２面を備える光偏向部材とを含み、
前記光偏向部材は前記出光面と前記出光面と向き合う面のうち少なくとも一つの面に設けられることを特徴とする側面発光型バックライト装置。
【請求項２】
多数の光偏向部材が前記入光面に沿って配列されることを特徴とする請求項１に記載の側面発光型バックライト装置。
【請求項３】
前記光偏向部材は前記導光板と同一な屈折率を有することを特徴とする請求項１に記載の側面発光型バックライト装置。
【請求項４】
前記光偏向部材は前記導光板と一体に形成されることを特徴とする請求項１に記載の側面発光型バックライト装置。
【請求項５】
前記第１及び第２面は前記入光面に垂直な法線を中心に対称に位置されることを特徴とする請求項１に記載の側面発光型バックライト装置。
【請求項６】
前記第１及び第２面は前記入光面と向き合う対向面まで延びて形成されることを特徴とする請求項１に記載の側面発光型バックライト装置。
【請求項７】
前記光偏向部材は、前記出光面に対面する第３面をさらに備え、前記第３面は前記出光面に平行であることを特徴とする、請求項１に記載の側面発光型バックライト装置。
【請求項８】
前記光偏向部材は、前記出光面に平行な断面状が前記第１及び第２面を斜辺とし、底辺が前記入光面の逆側に位置される三角形状であることを特徴とする請求項１に記載の側面発光型バックライト装置。
【請求項９】
前記光偏向部材は、前記出光面に平行な断面状が前記第１及び第２面を斜辺とし、底辺が前記入光部の逆側に位置される台形状であることを特徴とする請求項１に記載の側面発光型バックライト装置。
【請求項１０】
線光源を使用する側面発光型バックライト装置の導光板において、
光が入射される入光面と、
光が射出される出光面と、
前記出光面と前記出光面と向き合う面ののうち少なくとも一つの面から突出されて形成されるものであって、前記出光面に平行な断面状は底辺が前記入光面の逆側に位置される三角形状であり、前記三角形状が前記出光面に垂直な方向に延びて形成される光偏向部材とを含む側面発光型バックライト装置の導光板。
【請求項１１】
多数の光偏向部材が前記入光面に沿って配列されることを特徴とする請求項１０に記載の側面発光型バックライト装置の導光板。
【請求項１２】
前記光偏向部材は、前記出光面に平行な断面状が二等辺三角形状であることを特徴とする請求項１０に記載の側面発光型バックライト装置の導光板。
【請求項１３】
前記光偏向部材は、前記出光面と対面する第３面をさらに備え、前記第３面は前記出光面に平行であることを特徴とする請求項１０に記載の側面発光型バックライト装置の導光板。
【請求項１４】
前記光偏向部材は前記入光面と向き合う対向面まで延びて形成されることを特徴とする請求項１０に記載の側面発光型バックライト装置の導光板。
【請求項１５】
線光源を使用する側面発光型バックライト装置の導光板において、
光が入射する入光面と、
光を射出する出光面と、
前記出光面と前記出光面と向き合う面のうち少なくとも一つの面から突出されて形成されるものであって、前記出光面に平行な断面状は底辺が前記入光部の逆側に位置する台形状であり、前記台形状が前記出光面に垂直な方向に延びて形成される光偏向部材とを含む側面発光型バックライト装置の導光板。
【請求項１６】
多数の光偏向部材が前記入光面に沿って配列されることを特徴とする請求項１５に記載の側面発光型バックライト装置の導光板。
【請求項１７】
前記光偏向部材は、前記出光面に平行な断面状が二等辺台形状であることを特徴とする請求項１５に記載の側面発光型バックライト装置の導光板。
【請求項１８】
前記光偏向部材は、前記出光面と対面する第３面をさらに備え、前記第３面は前記出光面に平行であることを特徴とする請求項１５に記載の側面発光型バックライト装置の導光板。
【請求項１９】
前記光偏向部材は前記入光面と向き合う対向面まで延びて形成されることを特徴とする請求項１５に記載の側面発光型バックライト装置の導光板。
【発明の詳細な説明】
【技術分野】
【０００１】
本発明はバックライト装置に係り、特に導光板（ＬＧＰ：ｌｉｇｈｔ ｇｕｉｄｅ ｐａｎｅｌ）と線光源を使用する側面発光型バックライト装置に関する。
【背景技術】
【０００２】
バックライト装置は液晶表示装置等の受光形平面表示装置の照明装置であって、光源の配置形態により直下発光型バックライト装置と側面発光型バックライト装置とに大別される。直下発光型バックライト装置は光源が平面表示装置の真下に設けられて平面表示装置に直接光を照射するバックライト装置を言い、側面発光型バックライト装置は光源が導光板の側面側に設けられて導光板を通じて平面表示装置に光を照射するバックライト装置を言う。
【０００３】
側面発光型バックライト装置の光源としては線光源と点光源とが使用され得る。代表的な線光源としては両端部の電極が管内に設けられる冷陰極蛍光ランプ（ＣＣＦＬ：ｃｏｌｄ ｃａｔｈｏｄｅ ｆｌｕｏｒｅｓｃｅｎｔ ｌａｍｐ）があり、点光源としては発光ダイオード（ＬＥＤ）（ｌｉｇｈｔ  ｅｍｉｔｔｉｎｇ  ｄｉｏｄｅ）がある。ＣＣＦＬは強い白色光を放出でき、高輝度と高均一度とを得ることができ、大面積化設計が可能であるという長所がある。
【０００４】
図１は線光源を使用する従来の側面発光型バックライトユニットの概略的な斜視図であり、図２は図１の平面図である。
【０００５】
図１を参照すれば、ＬＧＰ１０の側面１３側にＣＣＦＬ２０が設けられる。ＬＧＰ１０の底面１１にはＣＣＦＬ ２０から入射した光を出光面１２に放出することができるように光路を変換する光路変換手段３０が設けられる。
【０００６】
線光源は概念的に点光源の連続体で考えることができる。従って、図２に示されたように光はＣＣＦＬ２０から放出されて側面１３を通じてＬＧＰ１に入射する。ＣＣＦＬ２０から放出される光の水平角Ａ１は±９０°である。ＬＧＰ１０の内部に進行する光はＬＧＰ１０の各面の法線に対する入射角がＬＧＰ１０の臨界角より小さい場合には該当面を透過し、そうではない場合には全反射される。このような全反射過程を反復しながら光はＬＧＰ１０全体に伝播される。
【０００７】
光が出光面１２に射出されるためには出光面１２に対する入射角が臨界角より小さくなければならないが、ＬＧＰ１０に入射した光のうち一回全反射された光はＬＧＰ１０を抜けることができない。光路変換手段３０は散乱、回折等により光の進路を変換させることにより光が出光面１２に抜けることができるようにする。
【０００８】
光路変換手段３０として光を回折させてその進路を変換させるホログラムパターンを使用する場合には、光がホログラムパターンと約９０°の角度を成して入射する場合に回折効率が一番高く、ホログラムパターンに入射する光の入射角分布が小さい程出光面１２で均一な輝度を得ることができる。輝度が均一にならなければ、バックライト装置により照明される平面表示装置（図示せず）の画面にムラが生じたように見える。
【０００９】
特許文献１にはＬＧＰを多数個の導光部に分割することによりＬＧＰの出光面での輝度均一度を向上させた線光源を使用する照明装置が開示されている。
【特許文献１】特開平１１−１４４５１４号
【発明の開示】
【発明が解決しようとする課題】
【００１０】
本発明の技術的課題は、ＬＧＰ内部を進行する光を偏向させて水平角を縮める光偏向部材を備えるＬＧＰ及びこれを採用した側面発光型バックライト装置を提供するところにある。
【課題を解決するための手段】
【００１１】
前記技術的課題を達成するための本発明の側面発光型バックライト装置は、光が入射する入光面と、光を射出する出光面とを備えるＬＧＰと、前記入光面に光を投射する線光源と、透光材料で製作される多面体であり、前記出光面に垂直であり、前記入光面に垂直な法線を中心に互いに向き合い、前記入光面からこれと向き合う対向面側に行く程互いに末広がりになるように位置される第１及び第２面を備える光偏向部材とを含み、前記光偏向部材は前記出光面と前記出光面と向き合う面のうち少なくとも一つの面に設けられることを特徴とするを提供する。
【００１２】
ここで、多数の光偏向部材が前記入光面に沿って配列されることが望ましい。又、前記光偏向部材は前記ＬＧＰと同一な屈折率を有することが望ましく、この場合、前記光偏向部材は前記ＬＧＰと一体に形成されることが望ましい。
【００１３】
前記第１及び第２面は前記入光面に垂直な法線を中心に対称に位置されることが望ましい。
【００１４】
前記第１及び第２面は前記入光面と向き合う対向面との所定位置まで形成され、前記対向面まで延びて形成されうる。
【００１５】
前記光偏向部材は前記出光面に対面する第３面をさらに備え、前記第３面は前記出光面に平行であることが好ましい。
【００１６】
前記光偏向部材は、前記出光面に平行な断面状が前記第１及び第２面を斜辺とし、底辺が前記入光面の逆側に位置する三角形状であり、前記出光面に平行な断面状が前記第１及び第２面を斜辺とし、底辺が前記入光部の逆側に位置される台形状でもありうる。
【００１７】
本発明に係る側面発光型バックライト装置のＬＧＰは、  線光源を使用する側面発光型バックライト装置のＬＧＰにおいて、光が入射される入光面と、光が射出される出光面と、前記出光面と前記出光面と向き合う面のうち少なくとも一つの面から突出されて形成されるものであって、前記出光面に平行な断面状は底辺が前記入光面の逆側に位置される三角形状であり、前記三角形状が前記出光面に垂直な方向に延びて形成される光偏向部材とを含む。
【００１８】
ここで、多数の光偏向部材が前記入光面に沿って配列されることが望ましい。又、前記光偏向部材は、前記出光面に平行な断面状が二等辺三角形状であることが望ましい。
【００１９】
本発明の他の特徴による側面発光型バックライト装置のＬＧＰは、  線光源を使用する側面発光型バックライト装置のＬＧＰにおいて、光が入射する入光面と、光を射出する出光面と、前記出光面と前記出光面と向き合う面のうち少なくとも一つの面から突出されて形成されるものであって、前記出光面に平行な断面状は底辺が前記入光部の逆側に位置する台形状であり、前記台形状が前記出光面に垂直な方向に延びて形成される光偏向部材とを含む。
【００２０】
ここで、多数の光偏向部材が前記入光面に沿って配列されることが望ましく、前記光偏向部材は、前記出光面に平行な断面状が二等辺台形状であることが望ましい。
【発明の効果】
【００２１】
本発明によって導光板内部を進行する光を偏向させて水平角を縮める光偏向部材を具備する導光板及びこれを採用した側面発光型バックライト装置が提供でき、ここで、各光偏向部材の第１面と第２面とが入光面に垂直した法線となす角度が共に同一である必要はなく、所望の出光分布を得るために多様な角度を有する光偏向部材を配列できる。
【発明を実施するための最良の形態】
【００２２】
以下、添付した図面に基づき本発明の望ましい実施例を詳細に説明する。
【００２３】
図３は本発明に係る側面発光型バックライト装置の一実施例を示した斜視図であり、図４は図３のI-I'断面図、図５は図３のII-II'断面図である。
【００２４】
図３〜図５を見れば、平板状のＬＧＰ１１０が示されており、ＬＧＰ１１０の側面１１２側には線光源としてＣＣＦＬ１２０が設けられる。ＬＧＰ１１０の上面１１４には多数の光偏向部材１５０が側面１１２に沿って配列されている。ＬＧＰ１１０の下面１１５には光路変換手段１３０が設けられる。
【００２５】
ＬＧＰ１１０は光を透過させることができる透光性材料で製作されるが、主に屈折率が１．４９、比重が１．１９程度であるアクリル系透明樹脂を使用することができ、軽量化のため比重が１．０であるオレフィン系透明性樹脂を使用することができる。本実施例のＬＧＰ１１０はＰＭＭＡ（ｐｏｌｙｍｅｔｙｌ―ｍｅｔｈａｃｒｙｌａｔｅ）で製作される。ＬＧＰ１１０の厚さは普通１〜３ｍｍ程度であり、重量を減らすため光が入射する側面１１２から遠くなる程厚さが次第に薄くなる楔形を使用することができる。ＬＧＰ１１０のサイズは平面画像表示装置（図示せず）、例えばＬＣＤ（ｌｉｑｕｉｄ  ｃｒｙｓｔａｌ  ｄｉｓｐｌａｙ）のサイズに左右される。
【００２６】
以下で、側面１１２はＣＣＦＬ１２０から放射された光が入射する入光面１１２と称する。光を射出する出光面は上面１１４と下面１１５のうちいずれか１つの面になる。便宜上、本実施例では下面１１５が出光面であることとし、以下で下面１１５は出光面１１５と称する。
【００２７】
光偏向部材１５０は、図４に示すように、出光面１１５に平行な面で切断した際の断面形状が、対向面１１３側に底面１５３が位置するととも、入光面１１２に垂直な法線１１６を中心として対向するように位置する第１面１５１と第２面１５２とを備える三角形状である。第１面１５１と第２面１５２とは出光面１１５に対して垂直である。第１面１５１と第２面１５２とは入光面１１２で対向面１１３側に行く程互いに遠くなるように配置され、法線１１６となす角度は各々Ｂ１とＢ２とになる。図２に示すように、ＣＣＦＬ１２０上の任意の発光点から放出される光は、概してその光軸を中心として対称を成すため、角度Ｂ１とＢ２とは同一であることが望ましい。即ち、第１面１５１と第２面１５２は法線１１６に対して対称に位置されることが望ましい。この場合、光偏向部材１５０の出光面１１５に平行な断面状は二等辺三角形になる。また、第５図に示すように、入光面１１２に平行な断面は四角形状であり、出光面１１５と対面する第３面１５４は出光面１１５と平行なものが好ましい。
【００２８】
光偏向部材１５０は透光材料で製作されてＬＧＰ１１０に結合される。この場合には、光偏向部材１５０の臨界角がＬＧＰ１１０の臨界角と同一となるようにＬＧＰ１１０の屈折率と同一の屈折率を有する材料で形成されることが望ましい。光偏向部材１５０はＬＧＰ１１０と一体に形成されることがさらに望ましい。
【００２９】
本実施例では説明の便宜のため入光面１１２に沿って４個の光偏向部材１５０を配列しているが、これにより本発明の範囲が限定されるものではない。
【００３０】
光が出光面１１５に射出されるためには、出光面１１５に対する入射角が臨界角より小さくなければならないが、ＬＧＰ１１０に入射した光の中で一旦全反射された光はその進路が変わらない限りＬＧＰ１１０を抜けることができない。光路変換手段１３０は散乱、回折等により光の進路を変換させる。それにより、経路が変換された光の中で出光面１１５に対する入射角が臨界角より小さい光は出光面１１５を透過して抜け、残りの光は反射される。反射した光は再び光路変換手段１３０によりその進路が変換されて出光面１１５に入射する過程を反復する。光路変換手段１３０としては例えば、光を散乱させる散乱パターン、光を回折させるホログラムパターン等が使用されうる。光路変換手段１３０は出光面１１５またはそれと向き合う面１１４または２つの面１１４，１１５いずれにも設けることができる。本実施例では光路変換手段１３０として図３に示されるように回折格子が入光面１１２に並んで配列されたホログラムパターンを使用する。
【００３１】
図６と図７とは、図３に示される本発明に係る側面発光型バックライト装置の一実施例の作用効果を説明するための平面図と側面図とを各々示したものである。ＣＣＦＬ１２０は点光源の連続体と考えることができることは既に説明したが、図６では説明の便宜のためＣＣＦＬ１２０上の４個の発光点に対する光路のみを示した。
【００３２】
図６と図７とを見れば、ＣＣＦＬ１２０から放射された光は入光面１１２を通じてＬＧＰ１１０に入射する。ＣＣＦＬ１２０から放射された光は水平角Ａ３と垂直角Ｃ１とが約±９０°になる。ＣＣＦＬ１２０から放射された光は入光面１１２に入射する時屈折して水平角Ａ４と垂直角Ｃ２が約±４２度になる。ＬＧＰ１１０に入射した光は臨界角との関係により全反射を繰り返しながらＬＧＰ１１０の内部に均等に伝播する。
【００３３】
光は図６に示すように、光偏向部材１５０に入射する。光偏向部材１５０に入射した光は光偏向部材１５０と外部媒質、例えば空気との境界面である第１面１５１または第２面１５２により反射される。光偏向部材１５０をＬＧＰ１１０と屈折率が同一の材料で形成した場合に、光偏向部材１５０の臨界角はＬＧＰ１１０の臨界角と同一である。第１面１５１と第２面１５２とは入光面１１２で対向面１１３側に行く程末広がりとなる方向に配置されるため、第１面１５１と第２面１５２から反射された光は水平角Ａ４が縮まる。即ち、第１面１５１と第２面１５２はＬＧＰ１１０の内部を進行する光をコリメーティングさせる役割を果たす。
【００３４】
ＬＧＰ１１０の内部を進行する光は図７に示すように、垂直角Ｃ２成分を有している。第３面１５４は出光面１１５と平行なので光は第３面１５４から全反射されてＬＧＰ１１０内部に均一に伝播される。
【００３５】
さて、光偏向部材１５０を備える場合とそうではない場合とで対向面１１３での出光分布をシミュレーションした結果を見ながら本発明に係るバックライト装置の効果を説明する。シミュレーションに使用されたＬＧＰ１１０のＸ方向の長さは４２．６ｍｍ、Ｙ方向の長さは３２ｍｍ、厚さは１ｍｍであり、光偏向部材１５０のＸ方向の長さは４２．６ｍｍである。
【００３６】
図８は光偏向部材１５０を備えない場合の対向面１１３での出光分布をシミュレーションした結果を示したグラフである。
【００３７】
図９と図１０とは光偏向部材１５０の第１面１５１と第２面１５２とが法線１１６と成す角度Ｂ１，Ｂ２を変化させながら対向面１１３での出光分布をシミュレーションした結果である。図９と図１０とはそれぞれ角度Ｂ１＝Ｂ２＝１°、  Ｂ１＝Ｂ２＝０．３°である場合であり、入光面１１２に沿ってそれぞれ２０個、６４個の光偏向部材１５０を設けた場合である。光偏向部材１５０の厚さＴは０．２ｍｍである。
【００３８】
図１１と図１２とは光偏向部材１５０の厚さＴを変化させながら対向面１１３での出光分布をシミュレーションした結果を示したグラフである。図１１と図１２とは光偏向部材１５０の厚さＴがそれぞれ０．１ｍｍ、０．５ｍｍである場合である。光偏向部材１５０の第１面１５１と第２面１５２とが法線１１６となす角度Ｂ１＝Ｂ２＝１°であり、入光面１１２に沿って２０個の光偏向部材１５０が設けられる。
【００３９】
図８〜図１２に示されたグラフで、両曲線Ｖ及びＨはそれぞれ垂直角Ｃ２と水平角Ａ４とに出光分布を示す。
【００４０】
図８の場合に、対向面１１３に出る光の総光速は７９．７４、単位立体角当たりの光速は２９．１、半値角（ＦＷＨＭ：ｆｕｌｌ ｗｉｄｔｈ ｈａｌｆ ｍａｘｉｍｕｍ）は５５°である。図９の場合に、対向面１１３に出る光の総光速は８０．３３、単位立体角当たりの光速は３４．２、半値角は４８°である。図１０の場合に、対向面１１３に出る光の総光速は７９．７４、単位立体角当たりの光速は３３．８、半値角は４８°である。図１１の場合に、対向面１１３に出る光の総光速は７９．８７、単位立体角当たりの光速は３１．６、半値角は５１°である。図１２の場合に、対向面１１３に出る光の総光速は８０．８７、単位立体角当たりの光速は４０．５、半値角３８°である。
【００４１】
図９及び図１０を図８と比較して見れば、垂直角Ｃ２は変わらないため垂直角Ｃ２による出光分布は図８と比較して見る時殆ど変化がないが、水平角Ａ４による出光分布は図８に比べてかなり狭くなったことが分かる。即ち、光偏向部材１５０のコリメーティング作用により水平角Ａ４が縮まって総光速は殆ど変化がないが、単位立体角当たりの光速と半値角とが縮まったことが分かる。
【００４２】
図９、図１１、図１２を見れば、光偏向部材１５０の厚さＴが厚くなる程総光速と単位立体角当たりの光速とが速まり、半値角が減少することが分かる。従って、光偏向部材１５０の第１面１５１と第２面１５２とが法線１１６と成す角度Ｂ１，Ｂ２が同一の場合には光偏向部材１５０の厚さが厚くなる程光偏向部材１５０のコリメーティング効果が向上することが分かる。
【００４３】
このように、光偏向部材１５０により水平角Ａ４が縮まった光は、光路変換手段１３０によりその経路が変換されながら出光面１１５に対する入射角が臨界角より小さい光は出光面１１５と光路変換手段１３０とを透過してＺ方向に放出される。
【００４４】
図１３は光偏向部材１５０を備えていない場合にＬＧＰ １１０から射出される光の出光分布をシミュレーションした結果を示したグラフであり、図１４は光偏向部材１５０を備える場合にＬＧＰ１１０から光の出光分布をシミュレーションした結果を示したグラフである。
【００４５】
シミュレーションに使用されたＬＧＰ１１０のＸ方向の長さは４２．６ｍｍ、Ｙ方向の長さは３２ｍｍ、厚さは１ｍｍである。光偏向部材１５０の第１面１５１と第２面１５２とが法線１１６となす角度  Ｂ１＝Ｂ２＝１°であり、光偏向部材１５０の厚さＴは０．２ｍｍである。
【００４６】
図１３及び図１４に示されたグラフで、両曲線ＶおよびＨはそれぞれ垂直角Ｃ２と水平角Ａ４による出光分布を示す。
【００４７】
図１３下端のグラフで点線に示された曲線を見れば、ＬＧＰ１１０から射出される光の角度による光速が約±６５°範囲にかけて緩慢に分布されており、単位立体角当たりの光速は１１３である。これに比べて、図１４下端のグラフで点線に示された曲線を見れば、ＬＧＰ１１０から射出される光の角度による光速が０°付近に集中されており、単位立体角当たりの光速は１２３である。これは光偏向部材１５０を備える場合に光路変換手段１３０を経てＬＧＰ１１０から射出される光の角度分布が縮まり、ＬＧＰ１１０の出光面１１５に垂直な方向の光速が速まったことを意味する。
【００４８】
このように、線光源を使用する側面発光型バックライト装置において、コリメーティング作用を行う光偏向部材１５０を備えることによりＬＧＰ１１０内での光の水平角Ａ４を縮めることができる。それにより、光路変換手段１３０も高効率に光路が変換でき、ＬＧＰから射出する光の単位立体角当たりの光速は速く、半値角を小さくできる。従って、ＬＧＰ１１０から射出される光の角度分布が縮まり、これにより平面表示装置の画面上で均一な輝度を実現することができる。
【００４９】
本発明に係る側面発光型バックライト装置は前述した実施例に限定されずに、図１５〜図１８に示されたような多様な変形例が可能である。
【００５０】
図１５を見れば、光偏向部材１５０ａは隣接される他の光偏向部材１５０ａと底面１５３とが若干離隔されている。
【００５１】
図１６〜図１８は光偏向部材の長さによる変形例である。図１６に示された変形例は、頂１５４は入光面１１２に接触され、底面１５３は対向面１１３から離隔されるように形成された光偏向部材１５０ｂを備える場合であり、図１７に示された変形例は、頂１５４は入光面１１２から離隔され、底面１５３は対向面１１３に接触されるように形成された光偏向部材１５０ｃを備える場合であり、図１８に示された変形例は頂点１５４と底面１５３とがそれぞれ入光面１１２と対向面１１３とから離隔されるように形成された光偏向部材１５０ｄを備える場合である。
【００５２】
また、多数の光偏向部材が配列される場合に、各光偏向部材の第１面と第２面が入光面に垂直な法線と成す角度が全て同一である必要はなく、所望の出光分布を得るため多様な角度を有した光偏向部材を配列できる。
【００５３】
図１９は本発明に係る側面発光型バックライト装置の他の実施例を示した斜視図である。
【００５４】
図１９を見れば、図３に示された実施例と殆ど同一であるが、光偏向部材１６０の水平断面、即ち出光面１１５に垂直な平行な断面状が底面１６３が対向面１１３側に向く台形状である。また、光偏向部材１６０の垂直断面、即ち入光面１１２に平行な断面は四角形状である。第１面１６１と第２面１６２とは入光面１１２から対向面１１３側に行く程互いに遠くなるように位置され、法線１１６と成す角度はそれぞれＢ３とＢ４とになる。第１面１６１と第２面１６２とは法線１１６に対して対称に位置されることが望ましい。言い換えれば、第１面１６１と第２面１６２とが法線１１６と成す角度Ｂ３とＢ４とは同一である。この場合、光偏向部材１６０の出光面１１５に平行な断面状は二等辺台形になる。以下、その作用と効果とは図３〜図１４で説明したのと殆ど同一なので省略する。本発明に係る側面発光型バックライト装置は前述した実施例に限定されずに、図面に示されないが、図１５〜図１８に示されたような方式で変形例が可能である。また、多数の光偏向部材が配列される場合に、各光偏向部材の第１面と第２面とが入光面に垂直な法線と成す角度が全て同一である必要はなく、所望の出光分布を得るため多様な角度を有した光偏向部材が配列できる。
【００５５】
本発明は前記に説明され、図面に例示されたことにより限定されるものではなく、後述する特許請求の範囲内でより多い変形及び変容例が可能なことは勿論である。
【産業上の利用可能性】
【００５６】
本発明の光偏向部材を具備する導光板及び側面発光型バックライト装置は、例えば、液晶表示装置などの受光型平面表示装置の照明装置に効果的に適用可能である。
【図面の簡単な説明】
【００５７】
【図１】線光源を使用する従来の側面発光型バックライトユニットの概略的な斜視図である。
【図２】図１の平面図である。
【図３】本発明に係る側面発光型バックライト装置の一実施例を示した斜視図である。
【図４】図３のI-I'断面図である。
【図５】図３のII−II'断面図である。
【図６】図３に示された本発明に係る側面発光型バックライト装置の一実施例の作用効果を説明するための平面図である。
【図７】図３に示された本発明に係る側面発光型バックライト装置の一実施例の作用効果を説明するための側面図である。
【図８】光偏向部材を備えていない場合の対向面での出光分布をシミュレーションした結果を示したグラフである。
【図９】光偏向部材の第１面と第２面とが入光面に垂直な法線と成す角度を変化させながら、対向面での出光分布をシミュレーションした結果を示したグラフである。
【図１０】光偏向部材の第１面と第２面とが入光面に垂直な法線と成す角度を変化させながら、対向面での出光分布をシミュレーションした結果を示したグラフである。
【図１１】光偏向部材の厚さを変化させながら、対向面での出光分布をシミュレーションした結果を示したグラフである。
【図１２】光偏向部材の厚さを変化させながら、対向面での出光分布をシミュレーションした結果を示したグラフである。
【図１３】光偏向部材を備えない場合、ＬＧＰから射出される光の出光分布をシミュレーションした結果を示したグラフである。
【図１４】光偏向部材を備えた場合、ＬＧＰから射出される光の出光分布をシミュレーションした結果を示したグラフである。
【図１５】図３に示された本発明に係る側面発光型バックライト装置の一実施例の変形例を示した平面図である。
【図１６】図３に示された本発明に係る側面発光型バックライト装置の一実施例の変形例を示した平面図である。
【図１７】図３に示された本発明に係る側面発光型バックライト装置の一実施例の変形例を示した平面図である。
【図１８】図３に示された本発明に係る側面発光型バックライト装置の一実施例の変形例を示した平面図である。
【図１９】本発明に係る側面発光型バックライト装置の他の実施例を示した斜視図である。
【符号の説明】
【００５８】
１１０        ＬＧＰ
１１２        側面  
１１３    対向面
１１４    上面
１１５    下面  
１１６    法線
１２０    ＣＣＦＬ
１３０    光路変換手段
１５０    光偏向部材
１５１    第１面
１５２    第２面
１５３    底面
【図１】
2004319482.tif 000003
【図２】
2004319482.tif 000004
【図３】
2004319482.tif 000005
【図４】
2004319482.tif 000006
【図５】
2004319482.tif 000007
【図６】
2004319482.tif 000008
【図７】
2004319482.tif 000009
【図８】
2004319482.tif 000010
【図９】
2004319482.tif 000011
【図１０】
2004319482.tif 000012
【図１１】
2004319482.tif 000013
【図１２】
2004319482.tif 000014
【図１３】
2004319482.tif 000015
【図１４】
2004319482.tif 000016
【図１５】
2004319482.tif 000017
【図１６】
2004319482.tif 000018
【図１７】
2004319482.tif 000019
【図１８】
2004319482.tif 000020
【図１９】
2004319482.tif 000021